(57)【要約】【課題】  映像信号処理装置において、複数の映像再生装置のうち使用者が使用する台数の映像再生装置に対し表示可能な最大解像度で表示する【解決手段】  映像信号処理装置において、入力される映像信号から解像度情報を読み出す解像度情報読み出し部と、映像信号を画面に表示する複数の映像表示装置と、映像信号入力部が入力した映像信号を前記複数の映像表示装置に出力する際の解像度を設定する解像度設定部と、複数の映像表示装置のうち映像信号を画面に表示する最低台数を設定する最低台数設定部と、複数の映像表示装置に予め記憶された解像度情報を読み出し解像度設定部を制御する制御部を備え、制御部は、解像度情報読み出し部が複数の映像表示装置から読み出した解像度情報のうち最低台数以上の映像表示装置に共通で最大の解像度を判別し解像度設定部が設定する解像度を前記最大の解像度にする制御を行う。【選択図】  図１
2006208615.tif 000002
【特許請求の範囲】
【請求項１】
解像度情報を有する映像信号を入力する映像信号入力部と、前記映像信号入力部に入力した映像信号から解像度情報を読み出す解像度情報読み出し部と、映像信号を画面に表示する複数の映像表示装置と、前記映像信号入力部が入力した映像信号を前記複数の映像表示装置に出力する際の解像度を設定する解像度設定部と、前記複数の映像表示装置のうち映像信号を画面に表示する最低台数を設定する最低台数設定部と、前記複数の映像表示装置に予め記憶された解像度情報を読み出し前記解像度設定部を制御する制御部とを備え、前記制御部は、前記解像度情報読み出し部が前記複数の映像表示装置から読み出した解像度情報のうち前記最低台数設定部によって設定された最低台数以上の映像表示装置に共通で最大の解像度を判別し前記解像度設定部が設定する解像度を前記最大の解像度にする制御を行うことを特徴とする映像信号処理装置。
【請求項２】
解像度情報を有する映像信号を入力する映像信号入力部と、前記映像信号入力部に入力した映像信号から解像度情報を読み出す解像度情報読み出し部と、映像信号を画面に表示する複数の映像表示装置と、前記映像信号入力部が入力した映像信号を前記複数の映像表示装置に出力する際の解像度を設定する解像度設定部と、前記複数の映像表示装置に予め記憶された解像度情報を読み出し前記解像度設定部を制御する制御部と、前記制御部が読み出した複数の解像度情報及び前記各解像度情報における映像信号を画面に表示可能な映像表示装置の台数を表示する表示部と、前記表示部が表示した複数の解像度情報を選択して前記解像度設定部に設定する操作を行う操作部とを備えることを特徴とする映像信号処理装置。
【発明の詳細な説明】
【技術分野】
【０００１】
本発明は、映像信号の画素数を制御する映像信号処理装置に関する。
【背景技術】
【０００２】
従来の、コンピュータ用モニタ装置、デジタル家電におけるテレビ受像装置等の映像表示装置は、装置内に映像表示装置の表示可能な解像度情報を記憶した電気的消去再書込み可能読出し専用メモリ（Electronically Erasable and Programmable Read Only Memory、以下、ＥＥＰＲＯＭと言う。)を備えているものがあった。例えば、コンピュータ装置にコンピュータ用モニタ装置を接続して使用する場合、コンピュータ装置が、コンピュータ用モニタ装置内のＥＥＰＲＯＭに記憶された解像度情報を読み出し、読み出した解像度情報を基に、コンピュータ装置が出力する映像信号の画素数を設定する。
【０００３】
コンピュータ装置が出力する映像信号の解像度を設定する場合、コンピュータ装置において、当該コンピュータ装置が設定可能な画素数の情報と、コンピュータ装置に接続された複数のコンピュータ用モニタ装置内のメモリから読み出した解像度情報に対応する画素数とを比較し、複数のコンピュータ用モニタ装置内のメモリから読み出したそれぞれの解像度情報のうち共通する画素数に一致する設定値、又は複数のコンピュータ用モニタ装置内のメモリから読み出したそれぞれの解像度情報のうち共通する画素数に最も近い画素数の値を設定して映像を表示する装置があった（特許文献１参照）。
【０００４】
【特許文献１】特開２００１−３５６７５２号公報
【発明の開示】
【発明が解決しようとする課題】
【０００５】
コンピュータ装置にコンピュータ用モニタ装置を接続して使用する例において、映像信号処理を行うコンピュータ装置に複数のコンピュータ用モニタ装置を接続して同時に映像信号を出力する際、複数のコンピュータ用モニタ装置の中に、設定した解像度で表示する機能のない装置が接続されていた場合、そのコンピュータ用モニタ装置には、映像が表示されなかった。
【０００６】
コンピュータ装置が出力する映像信号を複数のコンピュータ用モニタ装置それぞれに確実に表示させる方法として、複数のコンピュータ用モニタ装置が必須機能として備えている表示可能な最低解像度に設定する方法がある。しかし、最低解像度に設定する方法では、より高い画素数に設定することが可能なコンピュータ用モニタ装置は、最低の画素数でしか映像を表示することができなかった。
【０００７】
本発明の目的は、映像信号処理装置において、複数の映像再生装置が接続された場合、接続された複数の映像再生装置のうち、使用者が必要とする台数の映像再生装置に対して同時に表示可能な最大解像度として映像を表示することができるようにした装置を提供することにある。
【課題を解決するための手段】
【０００８】
本発明の請求項１に記載の映像信号処理装置は、解像度情報を有する映像信号を入力する映像信号入力部と、前記映像信号入力部に入力した映像信号から解像度情報を読み出す解像度情報読み出し部と、映像信号を画面に表示する複数の映像表示装置と、前記映像信号入力部が入力した映像信号を前記複数の映像表示装置に出力する際の解像度を設定する解像度設定部と、前記複数の映像表示装置のうち映像信号を画面に表示する最低台数を設定する最低台数設定部と、前記複数の映像表示装置に予め記憶された解像度情報を読み出し前記解像度設定部を制御する制御部とを備え、前記制御部は、前記解像度情報読み出し部が前記複数の映像表示装置から読み出した解像度情報のうち前記最低台数設定部によって設定された最低台数以上の映像表示装置に共通で最大の解像度を判別し前記解像度設定部が設定する解像度を前記最大の解像度にする制御を行うものである。
【０００９】
本発明の請求項２に記載の映像信号処理装置は、解像度情報を有する映像信号を入力する映像信号入力部と、前記映像信号入力部に入力した映像信号から解像度情報を読み出す解像度情報読み出し部と、映像信号を画面に表示する複数の映像表示装置と、前記映像信号入力部が入力した映像信号を前記複数の映像表示装置に出力する際の解像度を設定する解像度設定部と、前記複数の映像表示装置に予め記憶された解像度情報を読み出し前記解像度設定部を制御する制御部と、前記制御部が読み出した複数の解像度情報及び前記各解像度情報における映像信号を画面に表示可能な映像表示装置の台数を表示する表示部と、前記表示部が表示した複数の解像度情報を選択して前記解像度設定部に設定する操作を行う操作部とを備えるものである。
【発明の効果】
【００１０】
本発明の映像信号処理装置によれば、複数の映像再生装置に同時に映像信号を出力する場合、接続された複数の映像再生装置のうち使用者が必要とする台数の映像再生装置に対して同時に表示可能な最大解像度として映像を表示することができる。
本発明の映像信号処理装置によれば、複数の映像表示装置に同時に映像信号を出力する場合、解像度毎に表示可能な映像表示装置の台数を表示し、使用者が必要とする台数の映像再生装置に対して同時に表示可能な最大解像度を選択して、複数の映像表示装置に映像を表示することができる。
【発明を実施するための最良の形態】
【００１１】
図１は、本発明の映像信号処理装置の第１の実施例の構成を示すブロック図である。映像信号入力部１は、外部の映像信号再生装置が再生した、解像度情報を含む映像信号を受けて、解像度設定部２に入力する。解像度設定部２は、映像信号から解像度情報を読み出し、制御部３の制御によって設定された解像度の映像信号に変換し、複数の映像表示装置４ａ、４ｂ、・・・４ｎに出力する。
【００１２】
制御部３は、解像度設定部２の出力解像度を設定する。また、制御部３は、映像表示装置４ａ、４ｂ、・・・４ｎの動作状態を監視し、映像表示装置４ａ、４ｂ、・・・４ｎのうち動作状態にある映像表示装置のＥＥＰＲＯＭに記憶されている解像度情報を読み出し、読み出した解像度情報を、解像度設定部２に設定する解像度として用いる。映像表示装置４ａ、４ｂ、・・・４ｎは、解像度設定部２から入力された映像信号を画面に表示する。
【００１３】
制御部３は、最低台数設定部３ａ、表示台数検出部３ｂを備える。最低台数設定部３ａは、解像度設定部２が出力した映像信号の解像度に対応して表示すべき映像表示装置４ａ、４ｂ、・・・４ｎの最低台数を、後述する操作部５の操作によって設定する。表示台数検出部３ｂは、映像表示装置４ａ、４ｂ、・・・４ｎから各映像表示装置４ａ、４ｂ、・・・４ｎが表示可能な解像度を読み出し、解像度設定部２に設定された解像度と比較して、解像度毎に映像表示装置４ａ、４ｂ、・・・４ｎのうち表示可能な映像表示装置の台数を検出する。
【００１４】
操作部５は、制御部３に接続され、解像度設定部２が出力する解像度を設定するための操作ボタン、及び最低台数検出部３ａが検出する最低台数を設定するための操作ボタンを備える。
【００１５】
図２は、本発明の映像信号処理装置の第１の実施例の動作を示すフローチャートである。制御部３は、映像表示装置４ａ、４ｂ、・・・４ｎの動作状態を確認する（Ｓ１）。制御部３は、映像表示装置４ａ、４ｂ、・・・４ｎのうち動作状態にある映像表示装置から、各映像表示装置のＥＥＰＲＯＭに記憶されている各映像表示装置が表示可能な解像度情報を読み出す（Ｓ２）。
【００１６】
制御部３は、複数の映像表示装置４ａ、４ｂ、・・・４ｎのうち、動作状態にある映像表示装置を判別する(Ｓ３)。動作状態にある映像表示装置が複数あるとき（Ｓ３でＮｏ）、制御部３は、最低台数設定部３ａに設定された最低台数を読み出す(Ｓ４)。表示台数検出部３ｂは、動作状態にある複数の映像表示装置それぞれの表示可能な解像度情報を読み出し、解像度毎に表示可能台数を検出する(Ｓ５)。制御部３は、表示台数検出部３ｂが検出した解像度毎の表示台数に基づいて、最低台数設定部３から読み出した最低台数以上の映像表示装置に表示可能な最大の解像度を判断し、当該最大の解像度を解像度設定部２に設定して(Ｓ６)、映像信号を映像表示装置４ａ、４ｂ、・・・４ｎに出力させる（Ｓ７）。
【００１７】
Ｓ３で制御部３が判別した結果、動作状態にある映像表示装置が１台である場合（Ｓ３でＹｅｓ）、読み出した解像度情報が解像度設定部２に設定された解像度に一致すれば（Ｓ８でＹｅｓ）、制御部３は、映像信号を映像表示装置４ａ、４ｂ、・・・４ｎに出力させる（Ｓ７）。
【００１８】
Ｓ８で制御部３が判断した結果、読み出した解像度情報が解像度設定部２に設定された解像度に一致しない場合（Ｓ８でＮｏ）、制御部３は、読み出した解像度情報に一致する解像度を解像度設定部２に設定して（Ｓ９）、映像信号を映像表示装置４ａ、４ｂ、・・・４ｎに出力させる（Ｓ７）。
【００１９】
図３は、本発明の映像信号処理装置の第２の実施例の構成を示すブロック図である。図３において、図１に示した第１の実施例の構成と共通部分には、同じ符号を付けて説明を省略する。
制御部３は、表示台数検出部３ｂを備える。ここで、制御部３は、図１における最低台数設定部３ａを備えていない。操作部５は、制御部３に接続され、表示部６に表示された解像度を選択する操作ボタンを備える。表示部６は、制御部３に接続され、表示台数検出部３ｂが検出した映像表示装置４ａ、４ｂ、・・・４ｎそれぞれが表示可能な解像度及び解像度毎の表示可能台数を表示する。
【００２０】
図４は、本発明の映像信号処理装置の第２の実施例の動作を示すフローチャートである。制御部３は、映像表示装置４ａ、４ｂ、・・・４ｎの動作状態を確認する（Ｔ１）。制御部３は、映像表示装置４ａ、４ｂ、・・・４ｎのうち動作状態にある映像表示装置から、各映像表示装置のＥＥＰＲＯＭに記憶されている各映像表示装置が表示可能な解像度情報を読み出す（Ｔ２）。
【００２１】
制御部３は、複数の映像表示装置４ａ、４ｂ、・・・４ｎのうち、動作状態にある映像表示装置を判別する(Ｔ３)。動作状態にある映像表示装置が複数あるとき（Ｔ３でＮｏ）、表示台数検出部３ｂは、動作状態にある複数の映像表示装置それぞれの表示可能な解像度情報を読み出し、解像度毎に表示可能台数を検出する(Ｔ４)。表示部６は、表示台数検出部３ｂが検出した解像度、及び解像度毎の表示可能台数を並べて表示する(Ｔ５)。使用者は、表示部６に表示された解像度毎の表示可能台数を見て、操作部５によって、選択する解像度を示すため表示部６に表示されているカーソルを移動させて、選択する解像度にカーソルを合わせて操作部５の決定ボタンを押すことによって、解像度を選択する操作を行う(Ｔ６)。制御部３は、操作部５によって選択された解像度を解像度設定部２に設定して、映像信号を映像表示装置４ａ、４ｂ、・・・４ｎに出力させる（Ｔ７）。
【００２２】
Ｓ３で制御部３が判別した結果、動作状態にある映像表示装置が１台である場合（Ｔ３でＹｅｓ）、読み出した解像度情報が解像度設定部２に設定された解像度に一致すれば（Ｔ８でＹｅｓ）、制御部３は、映像信号を映像表示装置４ａ、４ｂ、・・・４ｎに出力させる（Ｔ７）。
【００２３】
Ｓ８で制御部３が判断した結果、読み出した解像度情報が解像度設定部２に設定された解像度に一致しない場合（Ｔ８でＮｏ）、制御部３は、読み出した解像度情報に一致する解像度を解像度設定部２に設定して（Ｔ９）、映像信号を映像表示装置４ａ、４ｂ、・・・４ｎに出力させる（Ｔ７）。
【図面の簡単な説明】
【００２４】
【図１】本発明の映像信号処理装置の第１の実施例の構成を示すブロック図である。
【図２】本発明の映像信号処理装置の第１の実施例の動作を示すフローチャートである。
【図３】本発明の映像信号処理装置の第２の実施例の構成を示すブロック図である。
【図４】本発明の映像信号処理装置の第２の実施例の動作を示すフローチャートである。
【符号の説明】
【００２５】
１  映像信号入力部
２  解像度設定部
３  制御部
３ａ  最低台数設定部
３ｂ  表示台数検出部
４ａ、４ｂ、４ｎ  映像表示装置
５  操作部
６  表示部
【図１】
2006208615.tif 000003
【図２】
2006208615.tif 000004
【図３】
2006208615.tif 000005
【図４】
2006208615.tif 000006